(57)【要約】【課題】実際に施工した場合に近い状態で、複数の表層材のデザインを比較可能とする。【解決手段】情報処理装置１０は、施工対象を識別する第１パラメータと、施工対象の少なくとも一部である配置領域に配置される表層材の特性を表わす第２パラメータと、配置領域に照射される光の特性を表わす第３パラメータとを含んでおり、且つ、第１乃至第３パラメータの設定値の１つ以上が互いに異なる、複数の表示パラメータセットを取得するパラメータ取得部１１０と、複数の表示パラメータセットをそれぞれ用いて、表示パラメータセットに対応する表示データを取得する表示データ取得部１２０と、複数の表示パラメータセットそれぞれに対応する表示データを、ディスプレイ上の複数の表示領域にそれぞれ表示させる表示出力部１３０と、を備える。【選択図】図１
2018092276.tif 000002
【特許請求の範囲】
【請求項１】
各々が、施工対象を識別する第１パラメータと、前記施工対象の少なくとも一部である配置領域に配置される表層材の特性を表わす第２パラメータと、前記配置領域に照射される光の特性を表わす第３パラメータとを含んでおり、且つ、前記第１乃至第３パラメータの設定値の１つ以上が互いに異なる、複数の表示パラメータセットを取得するパラメータ取得部と、
前記複数の表示パラメータセットをそれぞれ用いて、前記表示パラメータセットに対応する表示データを取得する表示データ取得部と、
前記複数の表示パラメータセットそれぞれに対応する前記表示データを、ディスプレイ上の複数の表示領域にそれぞれ表示させる表示出力部と、
を備える情報処理装置。
【請求項２】
前記第２パラメータは、表層材の光の反射状態に影響を与えるパラメータを含む、
請求項１に記載の情報処理装置。
【請求項３】
前記表層材の光の反射状態は、前記表層材の表面の凹凸、前記表層材の表面の色調、および、前記表層材の表面の柄に少なくとも基づいたパラメータにより定義される、
請求項２に記載の情報処理装置。
【請求項４】
前記表示出力部は、一の前記表示領域に対する視点又は表示サイズの変更指示入力に応じて、その他の前記表示領域の視点又は表示サイズを前記一の表示領域と連動させて変更する、
請求項１乃至３のいずれか１項に記載の情報処理装置。
【請求項５】
前記表示出力部は、一の前記表示領域に対する視点又は表示サイズの変更指示入力に応じて、前記一の表示領域の視点又は表示サイズを、その他の前記表示領域から独立して変更する、
請求項１乃至３のいずれか１項に記載の情報処理装置。
【請求項６】
前記表示出力部は、前記表示パラメータセットの変更入力を表示領域別に受け付ける第１画面要素を前記ディスプレイに更に表示させ、
前記表示データ取得部は、前記第１画面要素に対する変更入力によって変更された前記表示パラメータセットを用いて、前記表示領域に表示させる前記表示データを更新する、
請求項１乃至５のいずれか１項に記載の情報処理装置。
【請求項７】
前記表示出力部は、更に、互いに異なる前記表示パラメータセットがそれぞれ紐付けられている複数の第２画面要素を前記表示領域別に表示させ、
前記表示データ取得部は、前記表示領域別の前記複数の第２画面要素の中から選択された前記第２画面要素に紐付く前記表示パラメータセットを用いて、当該表示領域に表示させる前記表示データを更新する、
請求項１乃至６のいずれか１項に記載の情報処理装置。
【請求項８】
前記表示出力部は第３画面要素を前記ディスプレイに更に表示させ、
前記パラメータ取得部は、前記第３画面要素に対する操作に応じて、前記表示領域に表示されている各表示データの前記表示パラメータセットをそれぞれ取得してログデータに記録する、
請求項１乃至７のいずれか１項に記載の情報処理装置。
【請求項９】
前記表示出力部は、更に、前記ログデータに記録されている前記表示パラメータセットの一覧を選択可能な状態で前記ディスプレイに表示させ、
前記表示データ取得部は、前記一覧から選択された表示パラメータセットを用いて、一の前記表示領域に表示させる表示データを更新する、
請求項８に記載の情報処理装置。
【請求項１０】
前記表示パラメータセットには、当該表示パラメータセットに対応する表示データの評価情報が紐付けられており、
前記表示出力部は、
第４画面要素を前記ディスプレイに更に表示させ、
前記第４画面要素に対する操作に応じて、前記一覧に表示されている前記表示データを前記評価情報に基づいて並び替える、
請求項９に記載の情報処理装置。
【請求項１１】
前記表示パラメータセットには、当該表示パラメータセットに対応する表示データの評価情報が紐付けられており、
前記表示出力部は第５画面要素を前記ディスプレイに更に表示させ、
前記パラメータ取得部は、前記第５画面要素に対する操作に応じて、前記ログデータ内の前記表示パラメータセットそれぞれに紐付けられている前記評価情報が高い順に所定数の前記表示パラメータセットを選択し、
前記表示データ取得部は、前記パラメータ取得部が選択した前記所定数の前記表示パラメータセットを用いて、前記表示領域それぞれに表示させる前記表示データを更新する、
請求項８乃至１０のいずれか１項に記載の情報処理装置。
【請求項１２】
前記表示出力部は第６画面要素を前記ディスプレイに更に表示させ、
前記パラメータ取得部は、前記第６画面要素に対する操作に応じて、前記ログデータ内の前記表示パラメータセット、並びに、前記ログデータ内の前記表示パラメータセットそれぞれに紐付けられている、表示データに対する評価情報、コメント情報、および顧客情報を取得して電子ファイルに出力する、
請求項８乃至１１のいずれか１項に記載の情報処理装置。
【請求項１３】
前記表示出力部は、前記表示領域にそれぞれ表示されている各表示データに対する評価情報の入力を受け付けるための第７画面要素を前記ディスプレイに更に表示させ、
前記パラメータ取得部は、前記第７画面要素において表示データに対して入力された前記評価情報を、当該表示データに対応する表示パラメータセットに紐付ける、
請求項１乃至１２のいずれか１項に記載の情報処理装置。
【請求項１４】
前記表示出力部は、前記表示領域にそれぞれ表示されている各表示データに対するコメント情報の入力を受け付けるための第８画面要素を前記ディスプレイに更に表示させ、
前記パラメータ取得部は、前記第８画面要素において表示データに対して入力された前記コメント情報を、当該表示データに対応する表示パラメータセットに紐付ける、
請求項１乃至１３のいずれか１項に記載の情報処理装置。
【請求項１５】
前記表示出力部は、顧客に関する顧客情報の入力を受け付けるための第９画面要素を前記ディスプレイに更に表示させ、
前記パラメータ取得部は、前記第９画面要素において入力された前記顧客情報を、前記表示パラメータセットに紐付ける、
請求項１乃至１４のいずれか１項に記載の情報処理装置。
【請求項１６】
前記表示出力部は第１０画面要素を前記ディスプレイに更に表示させ、
前記パラメータ取得部は、前記第１０画面要素に対する操作に応じて、選択された前記表示パラメータセットを取得して外部装置に出力する、
請求項１乃至１５のいずれか１項に記載の情報処理装置。
【請求項１７】
前記表示出力部は第１１画面要素を前記ディスプレイに更に表示させ、
前記表示データ取得部は、前記第１１画面要素に対する操作に応じて、前記表示領域それぞれに表示されている各表示データを取得して、印刷データ又はＰＤＦファイルとして出力する、
請求項１乃至１６のいずれか１項に記載の情報処理装置。
【請求項１８】
前記表示データを記憶する記憶部を更に備え、
前記表示出力部は第１２画面要素を前記ディスプレイに更に表示させ、
前記表示データ取得部は、前記第１２画面要素に対する操作に応じて、前記表示データの最新版を外部装置から取得して前記記憶部に格納する、
請求項１乃至１７のいずれか１項に記載の情報処理装置。
【請求項１９】
前記表示出力部は、
第１３画面要素を前記ディスプレイに更に表示させ、
前記第１３画面要素に対する操作に応じて、前記ディスプレイのカラープロファイルを調整する、
請求項１乃至１８のいずれか１項に記載の情報処理装置。
【請求項２０】
前記表示出力部は、製品の色情報の指定入力を受け付ける第１４画面要素を前記ディスプレイに更に表示させ、
前記パラメータ取得部は、製品別の前記第２パラメータと共に記憶手段に記憶された色情報と、前記第１４画面要素において指定された色情報と、を比較して、色差が基準以下となる前記色情報に紐付けられた前記第２パラメータを取得し、
前記表示データ取得部は、前記パラメータ取得部が取得した前記第２パラメータを用いて、前記表示領域に表示される前記表示データを更新する、
請求項１乃至１９のいずれか１項に記載の情報処理装置。
【請求項２１】
コンピュータが、
各々が、施工対象を識別する第１パラメータと、前記施工対象の少なくとも一部である配置領域に配置される表層材の特性を表わす第２パラメータと、前記配置領域に照射される光の特性を表わす第３パラメータとを含んでおり、且つ、前記第１乃至第３パラメータの設定値の１つ以上が互いに異なる、複数の表示パラメータセットを取得する工程と、
前記複数の表示パラメータセットをそれぞれ用いて、前記表示パラメータセットに対応する表示データを取得する工程と、
前記複数の表示パラメータセットそれぞれに対応する前記表示データを、ディスプレイ上の複数の表示領域にそれぞれ表示させる工程と、
を含む表示処理方法。
【請求項２２】
コンピュータを、
各々が、施工対象を識別する第１パラメータと、前記施工対象の少なくとも一部である配置領域に配置される表層材の特性を表わす第２パラメータと、前記配置領域に照射される光の特性を表わす第３パラメータとを含んでおり、且つ、前記第１乃至第３パラメータの設定値の１つ以上が互いに異なる、複数の表示パラメータセットを取得する手段、
前記複数の表示パラメータセットをそれぞれ用いて、前記表示パラメータセットに対応する表示データを取得する手段、及び、
前記複数の表示パラメータセットそれぞれに対応する前記表示データを、ディスプレイ上の複数の表示領域にそれぞれ表示させる手段、
として機能させるためのプログラム。
【発明の詳細な説明】
【技術分野】
【０００１】
本発明は、内装や外装に用いられる表層材の選択を支援するための情報処理装置、表示処理方法、およびプログラムに関する。
【背景技術】
【０００２】
ユーザーがデザインの良し悪しを判断する材料として、内装や外装のシミュレーション結果をディスプレイに表示する技術が利用されている。例えば、下記非特許文献１乃至非特許文献４には、選択した化粧板（床材など）を、対象とする部屋や建造物の内装空間に適用した結果を表示する技術が開示されている。特に、非特許文献３では、２つの表示領域で異なるデザインを比較することを可能とする技術が開示されている。
【先行技術文献】
【非特許文献】
【０００３】
【非特許文献１】DAIKEN、"空間シミュレーション"、［online］、［平成２８年１０月５日検索］、インターネット＜URL：https://www.daiken.jp/interior/>
【非特許文献２】日立ビルシステム、"デザインシミュレーション"、［online］、［平成２８年１０月５日検索］、インターネット＜URL：http://www.hbs.co.jp/products/urban/em/elevator/standard/ua/design/simulation/index.html＞
【非特許文献３】YKKaP、"商品シミュレーション"、［online］、［平成２８年１１月１４日検索］、インターネット＜URL：https://www.ykkap.co.jp/products/interior_material/simulation/＞
【非特許文献４】TOPPAN、"３６０°空間シミュレータ" ［online］、［平成２８年１１月１４日検索］、インターネット＜URL：http://www.toppan.co.jp/solution/service/service_088.html＞
【発明の概要】
【発明が解決しようとする課題】
【０００４】
しかしながら、表層材を施工したときの実際のデザインが、シミュレーション画像を通じて顧客がイメージしたデザインと異なっていると、実際に施工した状態から受ける印象の違いに顧客が戸惑ってしまう。よって、シミュレーション画像を用いて表層材を比較および検討する際に、実際に施工した状態により近い状態を確認可能とする技術が望まれる。
【０００５】
本発明は上述の課題に鑑みてなされたものであり、その目的は、実際に施工した場合に近い状態で、複数の表層材のデザインを比較可能とする技術を提供することにある。
【課題を解決するための手段】
【０００６】
本発明によれば、
各々が、施工対象を識別する第１パラメータと、前記施工対象の少なくとも一部である配置領域に配置される表層材の特性を表わす第２パラメータと、前記配置領域に照射される光の特性を表わす第３パラメータとを含んでおり、且つ、前記第１乃至第３パラメータの設定値の１つ以上が互いに異なる、複数の表示パラメータセットを取得するパラメータ取得部と、
前記複数の表示パラメータセットをそれぞれ用いて、前記表示パラメータセットに対応する表示データを取得する表示データ取得部と、
前記複数の表示パラメータセットそれぞれに対応する前記表示データを、ディスプレイ上の複数の表示領域にそれぞれ表示させる表示出力部と、
を備える情報処理装置が提供される。
【０００７】
本発明によれば、
コンピュータが、
各々が、施工対象を識別する第１パラメータと、前記施工対象の少なくとも一部である配置領域に配置される表層材の特性を表わす第２パラメータと、前記配置領域に照射される光の特性を表わす第３パラメータとを含んでおり、且つ、前記第１乃至第３パラメータの設定値の１つ以上が互いに異なる、複数の表示パラメータセットを取得する工程と、
前記複数の表示パラメータセットをそれぞれ用いて、前記表示パラメータセットに対応する表示データを取得する工程と、
前記複数の表示パラメータセットそれぞれに対応する前記表示データを、ディスプレイ上の複数の表示領域にそれぞれ表示させる工程と、
を含む表示処理方法が提供される。
【０００８】
本発明によれば、
コンピュータを、
各々が、施工対象を識別する第１パラメータと、前記施工対象の少なくとも一部である配置領域に配置される表層材の特性を表わす第２パラメータと、前記配置領域に照射される光の特性を表わす第３パラメータとを含んでおり、且つ、前記第１乃至第３パラメータの設定値の１つ以上が互いに異なる、複数の表示パラメータセットを取得する手段、
前記複数の表示パラメータセットをそれぞれ用いて、前記表示パラメータセットに対応する表示データを取得する手段、及び、
前記複数の表示パラメータセットそれぞれに対応する前記表示データを、ディスプレイ上の複数の表示領域にそれぞれ表示させる手段、
として機能させるためのプログラムが提供される。
【発明の効果】
【０００９】
本発明によれば、実際に施工した場合に近い状態で複数の表層材のデザインを比較可能とする技術を提供できる。
【図面の簡単な説明】
【００１０】
【図１】情報処理装置の機能構成を概念的に示すブロック図である。
【図２】情報処理装置のハードウエア構成を例示する図である。
【図３】情報処理装置の基本操作フローを例示するフローチャートである。
【図４】情報処理装置上で動作するアプリケーションの画面例を示す図である。
【図５】Ｃｏｌｏｒボタンの押下に応じてディスプレイ上に表示される画面の一例を示す図である。
【図６】Ｓｕｒｆａｃｅボタンの押下に応じてディスプレイ上に表示される画面の一例を示す図である。
【図７】Ｐａｔｔｅｒｎボタンの押下に応じてディスプレイ上に表示される画面の一例を示す図である。
【図８】Ｌｉｇｈｔボタンの押下に応じてディスプレイ上に表示される画面の一例を示す図である。
【図９】Ｓｉｔｕａｔｉｏｎボタンの押下に応じてディスプレイ上に表示される画面の一例を示す図である。
【図１０】表示データを格納するデータベースの一例を示す図である。
【図１１】表示パラメータセットの設定に応じて表示される画面の一例を示す図である。
【図１２】比較画面の一例を示す図である。
【図１３】比較画面の一例を示す図である。
【図１４】比較画面の一例を示す図である。
【図１５】比較画面の一例を示す図である。
【図１６】比較画面の一例を示す図である。
【図１７】比較画面の一例を示す図である。
【図１８】比較画面の一例を示す図である。
【図１９】ＳａｖｅＬｏｇ機能における処理の流れを例示するフローチャートである。
【図２０】評価機能における処理の流れを例示するフローチャートである。
【図２１】顧客情報入力機能における処理の流れを例示するフローチャートである。
【図２２】顧客情報の入力を受け付けるための画面要素の一例を示す図である。
【図２３】発注機能における処理の流れを例示するフローチャートである。
【図２４】印刷・ＰＤＦ出力機能における処理の流れを例示するフローチャートである。
【図２５】表示サイズ変更機能における処理の流れを例示するフローチャートである。
【図２６】視点変更機能における処理の流れを例示するフローチャートである。
【図２７】データベース更新機能における処理の流れを例示するシーケンス図である。
【図２８】カラープロファイル調整機能における処理の流れを例示するフローチャートである。
【図２９】類似色選択機能における処理の流れを例示するフローチャートである。
【図３０】色情報の指定入力を受け付ける画面の一例を示す図である。
【図３１】製品別の色情報と共にその製品のパラメータを記憶するテーブルの一例を示す図である。
【発明を実施するための形態】
【００１１】
以下、本発明の実施の形態について、図面を用いて説明する。尚、すべての図面において、同様な構成要素には同様の符号を付し、適宜説明を省略する。また各ブロック図において、特に説明がない限り、各ブロックは、ハードウエア単位の構成ではなく機能単位の構成を表している。
【００１２】
〔機能構成〕
図１は、情報処理装置１０の機能構成を概念的に示すブロック図である。図１に示されるように、情報処理装置１０は、パラメータ取得部１１０、表示データ取得部１２０、及び表示出力部１３０を備える。
【００１３】
パラメータ取得部１１０は、複数の表示パラメータセットを取得する。パラメータ取得部１１０は、例えば後述の動作例で示すような画面を介して、表示パラメータセットを取得することができる。複数の表示パラメータの各々は、表層材の施工対象を識別する第１パラメータと、施工対象の少なくとも一部である配置領域に配置される表層材（例：内装／外装用の化粧板）の特性を表わす第２パラメータと、配置領域に照射される光の特性を表わす第３パラメータと、を含んでいる。パラメータ取得部１１０が取得する複数の表示パラメータセットは、それぞれ、第１乃至第３パラメータの設定値の１つ以上が互いに異なっている。
【００１４】
表示データ取得部１２０は、パラメータ取得部１１０が取得した複数の表示パラメータセットをそれぞれ用いて、複数の表示パラメータセットそれぞれに対応する表示データを取得する。この表示データは、第３パラメータに対応する光が第１パラメータに対応する施工対象に照射されている条件下で、第２パラメータに対応する表層材を第１パラメータに対応する施工対象の配置領域に配置した結果を示す。各表示パラメータセットに対応する表示データは、図示しないシミュレーション装置による光学解析シミュレーションによって生成され、所定のデータベースに予め記憶されている。データベースは、情報処理装置１０或いは情報処理装置１０と通信可能に接続されたサーバ装置（図示せず）に備えられる。表示データ取得部１２０は、パラメータ取得部１１０が取得した表示パラメータセットを用いてデータベースを参照することによって、表示データを読み出す（取得する）ことができる。
【００１５】
表示出力部１３０は、複数の表示パラメータセットそれぞれについて表示データ取得部１２０が取得した表示データを、ディスプレイ上の複数の表示領域にそれぞれ表示させる。
【００１６】
上述したような構成により、実際に施工した場合に近い状態で複数の表層材のデザインを比較することができる。
【００１７】
〔ハードウエア構成〕
情報処理装置１０の各機能構成部は、各機能構成部を実現するハードウエア（例：ハードワイヤードされた電子回路など）で実現されてもよいし、ハードウエアとソフトウエアとの組み合わせ（例：電子回路とそれを制御するプログラムの組み合わせなど）で実現されてもよい。以下、図２を用いて、情報処理装置１０がハードウエアとソフトウエアとの組み合わせで実現される場合について、さらに説明する。図２は、情報処理装置１０のハードウエア構成を例示する図である。
【００１８】
情報処理装置１０は、バス１０１、プロセッサ１０２、メモリ１０３、ストレージデバイス１０４、入出力インタフェース１０５、及びネットワークインタフェース１０６を有する。バス１０１は、プロセッサ１０２、メモリ１０３、ストレージデバイス１０４、入出力インタフェース１０５、及びネットワークインタフェース１０６が、相互にデータを送受信するためのデータ伝送路である。ただし、プロセッサ１０２などを互いに接続する方法は、バス接続に限定されない。プロセッサ１０２は、マイクロプロセッサなどを用いて実現される演算処理装置である。メモリ１０３は、ＲＡＭ（Random Access Memory）などを用いて実現されるメモリである。ストレージデバイス１０４は、ＲＯＭ（Read Only Memory）やフラッシュメモリなどを用いて実現されるストレージデバイスである。
【００１９】
入出力インタフェース１０５は、情報処理装置１０を外部装置と接続するためのインタフェースである。入出力インタフェース１０５には、例えば、マウス、キーボードなどの入力装置１１０１や、ＣＲＴ（Cathode Ray Tube）ディスプレイやＬＣＤ（Liquid Crystal Display）などのディスプレイ１１０２、これら入力装置１１０１とディスプレイ１１０２が一体化したタッチパネルなどが接続される。その他、入出力インタフェース１０５は、例えばＵＳＢ（Universal Serial Bas）ポートなど、図示しないポータブルデバイス（例えば、ＵＳＢメモリ、ポータブルＨＤＤなど）との通信用インタフェースを更に含んでいてもよい。
【００２０】
ネットワークインタフェース１０６は、情報処理装置１０を通信網に接続するためのインタフェースである。情報処理装置１０は、ネットワークインタフェース１０６を介して、外部のサーバ装置などと通信することができる。
【００２１】
ストレージデバイス１０４は、情報処理装置１０の各機能構成部を実現するためのプログラムモジュールを記憶している。プロセッサ１０２は、このプログラムモジュールをメモリ１０３に読み出して実行することで、情報処理装置１０の各機能構成部の機能を実現する。また、ストレージデバイス１０４は、図示しないシミュレーション装置によって生成される表示データを格納するデータベースを記憶していてもよい。
【００２２】
〔動作例〕
以下、表示データを表示するための表示領域を２つ備える画面を例に挙げて、具体的な動作について説明する。なお、以下では、画面左側の表示領域に操作対象の表示データが表示され、また、画面右側の表示領域に比較用の表示データが表示される例を挙げる。但し、本発明は以下で説明する具体例に限定されない。
【００２３】
＜基本操作フロー＞
図３は、情報処理装置１０の基本操作フローを例示するフローチャートである。
【００２４】
まず、ユーザーによるアプリケーションの起動操作（例えば、デスクトップ画面上の起動用アイコンの選択する操作など）が実行されると、本願発明に係るアプリケーションが情報処理装置１０上で起動される（Ｓ１０２）。この起動操作に応じて、表示出力部１３０は、図４に示されるようなアプリケーション画面を情報処理装置１０に接続されたディスプレイ上に表示する。図４は、情報処理装置１０上で動作するアプリケーションの画面例を示す図である。
【００２５】
図４に例示されるように、画面には、表示データを表示するための少なくとも２つの表示領域（４０１Ａ、４０１Ｂ）、第１ボタン群４０２（第１画面要素）、第２ボタン群４０３Ａ、４０３Ｂ（第２画面要素）が含まれる。
【００２６】
第１ボタン群４０２は、表示データ取得部１２０が取得すべき表示データ決定する表示パラメータセットを設定または変更するために用いられる。図４に例示される第１ボタン群４０２は、Ｃｏｌｏｒボタン、Ｌｉｇｈｔボタン、Ｓｕｒｆａｃｅボタン、Ｐａｔｔｅｒｎボタン、Ｓｉｔｕａｔｉｏｎボタンを含む。パラメータ取得部１１０は、これらのボタンに対するユーザーの操作に応じて、表示データを決定する表示パラメータセットを取得する（Ｓ１０４）。
【００２７】
Ｃｏｌｏｒボタン／Ｓｕｒｆａｃｅボタン／Ｐａｔｔｅｒｎボタンは、表層材の表面の特性に関するパラメータを設定または変更するための入力を行うためのボタンである。ユーザーは、Ｃｏｌｏｒボタンの押下に応じて表示される画面（例：図５）を介して、表層材の表面の地色（色調）を示すパラメータを設定または変更するための入力を行うことができる。また、ユーザーは、Ｓｕｒｆａｃｅボタンの押下に応じて表示される画面（例：図６）を介して、表層材の表面の質感（例えば、表層材の表面の凸凹状態による光の反射状態など）を示すパラメータを設定または変更するための入力を行うことができる。また、ユーザーは、Ｐａｔｔｅｒｎボタンの押下に応じて表示される画面（例：図７）を介して、表層材の表面の柄を示すパラメータを設定または変更するための入力を行うことができる。
【００２８】
Ｃｏｌｏｒボタン／Ｓｕｒｆａｃｅボタン／Ｐａｔｔｅｒｎボタンで設定できる各パラメータは、表層材の表面の見た目のみならず、表層材の表面の光の反射状態（映り込み）に影響を与えるパラメータである。例えば、表面の地色や表面の柄の色は、反射光の波長成分に影響を与える。また、表面の凹凸は、反射光の散乱に影響を与える。つまり、これらのパラメータの設定値によって、表層材の表面の反射状態（映り込み）が異なる表示データが特定される。
【００２９】
Ｌｉｇｈｔボタンは、施工対象に照射される光（人工光）の特性に関するパラメータを設定または変更するための入力を行うためのボタンである。ユーザーは、Ｌｉｇｈｔボタンの押下に応じて表示される画面（例：図８）を介して、施工対象に照射される人工光の特性（例えば、色温度など）を示すパラメータを設定または変更することができる。
【００３０】
Ｓｉｔｕａｔｉｏｎボタンは、施工対象を示すパラメータや施工対象の照射される光（自然光）の特性を示すパラメータといった、施工環境を変更または設定するための入力を行うためのボタンである。ユーザーは、Ｓｉｔｕａｔｉｏｎボタンの押下に応じて表示される画面（例：図９）を介して、「エレベーター」、「ローカル列車」または「リゾート列車」といった、表層材を配置する対象物を識別するパラメータを設定または変更することができる。また図９に例示されるような画面において、ユーザーは、表層材を配置する対象物における視点（例えば、「正面」や「横向き」など）を示すパラメータを設定／変更することができる。また図９に例示されるような画面において、ユーザーは、施工対象に照射される自然光の特性（例えば、「昼（太陽光あり）」、「夜（太陽光なし）」など）を示すパラメータを設定または変更することができる。
【００３１】
上述の各画面で表示される各ボタンには、それぞれ対応するパラメータ値が紐付けられており、パラメータ取得部１１０は、ユーザーの入力操作によって選択されたボタンに紐付けられたパラメータ値をそれぞれ取得することができる。このように各画面における操作によって取得されるパラメータ値の組み合わせが、表示データを取得する際に用いる表示パラメータセットとなる。
【００３２】
また、パラメータ取得部１１０は、上述の操作に応じて取得された表示パラメータセットを、第２ボタン群４０３Ａで選択されているボタン、並びに、第２ボタン群４０３Ａで選択されているボタンに対応する第２ボタン群４０３Ｂのボタンに紐付ける。具体的には、第２ボタン群４０３Ａで「Ｐａｔｔｅｒｎ１」ボタンが選択されている場合、パラメータ取得部１１０は、第２ボタン群４０３Ａの「Ｐａｔｔｅｒｎ１」ボタンと第２ボタン群４０３Ｂの「Ｐａｔｔｅｒｎ１」ボタンに、同じ表示パラメータセットを紐付ける。
【００３３】
上述したような操作によって各ボタンにおけるパラメータ（表示パラメータセット）の設定が完了すると、表示データ取得部１２０は、データベースに格納されている表示データの中から、設定された表示パラメータセットに対応する表示データを特定して取得する（Ｓ１０６）。データベースは、例えば、図１０に示すように、それぞれ設定値の異なる表示パラメータセットと、それに対応する表示データとを互いに紐付けて記憶している。この場合において、具体的には、表示データ取得部１２０は例えば次のようにして表示データを取得することができる。まず、表示データ取得部１２０は、「表示パラメータセット」の列を検索して、Ｓ１０４で取得された表示パラメータセットと一致する表示パラメータセットを格納しているレコードを特定する。そして、表示データ取得部１２０は、特定したレコードの「表示データ」の列に格納されている表示データを読み出す。
【００３４】
表示出力部１３０は、例えば図１１に示すように、表示データ取得部１２０が取得した表示データを表示領域に表示する（Ｓ１０８）。図１１は、表示パラメータセットの設定に応じて表示される画面の一例を示す図である。
【００３５】
なお、表示領域４０１Ａの上にある第２ボタン群４０３Ａにおいて選択されているボタンを切り替えてＳ１０４の動作を繰り返すことによって、別の表示パラメータセットを設定することができる。
【００３６】
＜比較フロー＞
表示データ取得部１２０は、第２ボタン群４０３Ａまたは４０３Ｂの各ボタンに紐付けられている表示パラメータセットを用いて、表示領域４０１Ａまたは４０１Ｂに表示させる表示データを更新することができる。具体的には、第２ボタン群４０３Ａまたは４０３Ｂにおいて選択されているボタンが切り替えられた場合、表示データ取得部１２０は、新たに選択されたボタンに紐付けられている表示パラメータセットを取得する。そして、表示データ取得部１２０は、取得した表示パラメータセットに対応する表示データを、データベースに記憶されている表示データの中から特定する。表示出力部１３０は、表示データ取得部１２０により特定された表示データを、第２ボタン群４０３Ａまたは４０３Ｂのうちボタンの切り替えが行われた方に対応する表示領域に表示させる。
【００３７】
ここで、例えば「Ｐａｔｔｅｒｎ１」と「Ｐａｔｔｅｒｎ２」にそれぞれ異なる表示パラメータセットを設定している状態において、第２ボタン群４０３Ａで「Ｐａｔｔｅｒｎ１」および「Ｐａｔｔｅｒｎ２」のいずれか一方を選択し、かつ、第２ボタン群４０３Ｂで他方を選択すれば、表示領域４０１Ａおよび表示領域４０１Ｂそれぞれに異なる表示データを表示させて比較することができる。以下、比較フローの具体的な例をいくつか挙げる。
【００３８】
＜＜視点比較＞＞
例えば、「Ｐａｔｔｅｒｎ１」のＳｉｔｕａｔｉｏｎを「エレベーター（正面）」に、「Ｐａｔｔｅｒｎ２」のＳｉｔｕａｔｉｏｎを「エレベーター（横向き）」に設定し、その他の設定を同じにすると、図１２に示すように、視点のみが異なる表示データを並べて比較することができる。
【００３９】
＜＜昼夜比較＞＞
例えば、「Ｐａｔｔｅｒｎ１」のＳｉｔｕａｔｉｏｎを「リゾート列車（昼）」に、「Ｐａｔｔｅｒｎ２」のＳｉｔｕａｔｉｏｎを「リゾート列車（夜）」に設定し、その他の設定は同じにすると、図１３に示すように、自然光の強弱による違いを比較することができる。
【００４０】
＜＜Ｌｉｇｈｔ点灯／消灯比較＞＞
例えば、「Ｐａｔｔｅｒｎ１」のＬｉｇｈｔを「消灯（ｎｏｎ）」に、「Ｐａｔｔｅｒｎ２」のＬｉｇｈｔを「昼白色（５０２４Ｋ）」に設定し、その他の設定を同じにすると、図１４に示すように、人工光の有無による違いを比較することができる。
【００４１】
＜＜Ｌｉｇｈｔ色温度比較＞＞
例えば、「Ｐａｔｔｅｒｎ１」のＬｉｇｈｔを「昼光色（６５００Ｋ）」に、「Ｐａｔｔｅｒｎ２」のＬｉｇｈｔを「白熱電球（２８００Ｋ）」に設定し、その他の設定を同じにすると、図１５に示すように、人工光の色温度による違いを比較することができる。
【００４２】
＜＜Ｐａｔｔｅｒｎ（柄）比較＞＞
例えば、「Ｐａｔｔｅｒｎ１」のＰａｔｔｅｒｎを「チーク」に、「Ｐａｔｔｅｒｎ２」のＰａｔｔｅｒｎを「ウォルナット」に設定し、その他の設定を同じにすると、図１６に示すように、表層材の柄による違いを比較することができる。
【００４３】
＜＜Ｓｕｒｆａｃｅ（質感）比較＞＞
例えば、「Ｐａｔｔｅｒｎ１」のＳｕｒｆａｃｅを「Ｍ（光の反射状態：中）」に、「Ｐａｔｔｅｒｎ２」のＳｕｒｆａｃｅを「Ｓ（光の反射状態：低）」に設定し、その他の設定を同じにすると、図１７に示すように、表層材の表面の光の反射状態による全体の見た目の違いを比較することができる。
【００４４】
＜＜表層材の色による比較＞＞
例えば、「Ｐａｔｔｅｒｎ１」のＣｏｌｏｒを「白」に、「Ｐａｔｔｅｒｎ２」のＣｏｌｏｒを「緑」に設定し、その他の設定を同じにすると、図１８に示すように、表層材の表面の地色による全体の見た目の違いを比較することができる。
【００４５】
以下、本発明におけるその他の機能について説明する。
【００４６】
＜ＳａｖｅＬｏｇ機能＞
図１９は、ＳａｖｅＬｏｇ機能における処理の流れを例示するフローチャートである。
ＳａｖｅＬｏｇ機能は、画面上で選択された表示パラメータをログデータに出力する機能である。ＳａｖｅＬｏｇ機能に係る処理を実行可能にするために、表示出力部１３０は、ＳａｖｅＬｏｇボタン（第３画面要素、図４中の符号４０４）を画面上に更に表示させる。ＳａｖｅＬｏｇ機能に係る処理は、当該ＳａｖｅＬｏｇボタンの押下といった操作に応じて実行される。
【００４７】
ＳａｖｅＬｏｇボタンの押下操作に応じて、パラメータ取得部１１０は、画面上で選択された表示データに対応する表示パラメータセットを取得する（Ｓ２０２）。一例として、表示出力部１３０がＳａｖｅＬｏｇボタンの押下操作に応じて「Ｐａｔｔｅｒｎ１」〜「Ｐａｔｔｅｒｎ５」のいずれかのボタンを選択させる画面を表示することで、パラメータ取得部１１０は、当該画面で選択されたボタンに紐付けられている表示パラメータセットを取得することができる。そして、パラメータ取得部１１０は、Ｓ２０２において取得した表示パラメータセットをログデータに出力する（Ｓ２０４）。このログデータは、メモリ１０３やストレージデバイス１０４上に記憶される。このように表示パラメータセットをログデータに退避することにより、より多くの表示パラメータセットを画面上で設定および保持することが可能となる。
【００４８】
また、表示出力部１３０は、ログデータに記憶されている表示パラメータセットを、図４のリスト部４０５に一覧表示してもよい（Ｓ２０６）。リスト部４０５は、ログデータに記憶されている情報を表示する領域とも言える。このリスト部４０５により、ＳａｖｅＬｏｇ機能でログデータに出力された表示パラメータセットをユーザーが確認することができる。
【００４９】
また、表示出力部１３０は、リスト部４０５において表示パラメータセットを選択可能に表示してもよい。この場合、表示データ取得部１２０は、図示しない再表示用のボタンの押下に応じて、表示領域に表示させる表示データを、リスト部４０５で選択された表示パラメータセットを用いて更新することもできる。具体的には、パラメータ取得部１１０は、リスト部４０５において表示パラメータセットが選択されている状態で再表示用のボタンが押下された場合、リスト部４０５上で選択されている表示パラメータセットを読み出す。表示データ取得部１２０は、パラメータ取得部１１０が読み出した表示パラメータセットを用いて、表示領域に表示させる表示データを更新する。表示出力部１３０は、表示データ取得部１２０により更新された表示データを用いて、表示領域の表示を更新する。これにより、ログデータに出力した表示パラメータセットに対応する表示データを表示領域に表示させることができる。
【００５０】
また、後述の評価機能によって、表示パラメータセットに評価情報が紐付けられている場合、リスト部４０５に表示されている表示パラメータセットを評価情報に応じて並べ替える機能を実装できる。この場合、表示出力部１３０は、Ｓｏｒｔボタン（第４画面要素、図示せず）を画面上に更に表示させる。表示出力部１３０は、Ｓｏｒｔボタンの押下に応じて、リスト部に表示されている表示パラメータセットに対応する評価情報を参照し、紐付けられた評価情報の高い順に表示パラメータセットを並べ替える。
【００５１】
これにより、リスト部４０５に多くの表示パラメータセットが表示されている場合でも、評価の高いものを即座に見つけ出すことができる。
【００５２】
また、後述の評価機能によって、表示パラメータセットに評価情報が紐付けられている場合、リスト部４０５の表示パラメータセットの中から評価の高い順に所定数（例えば、表示領域の個数）の表示パラメータセットを選択して読み出し、表示データを更新する機能を実装できる。この場合、表示出力部１３０は、Ｌｏａｄボタン（第５画面要素、図示せず）を画面上に更に表示させる。また、パラメータ取得部１１０は、Ｌｏａｄボタンの押下に応じて、リスト部４０５に表示されている表示パラメータセットに対応する評価情報を参照し、紐付けられた評価情報の高い順に所定数の表示パラメータセットを選択する。更に、表示データ取得部１２０は、パラメータ取得部１１０により選択された所定数の表示パラメータセットを用いてデータベースを検索し、それぞれの表示領域に表示させる表示データを取得する。表示出力部１３０は、表示データ取得部１２０により更新された表示データを用いて、各表示領域の表示を更新する。
【００５３】
これにより、評価の高いパラメータの組み合わせによる表示データを即座に画面上に表示させることができる。この機能は、例えば最終的な決定を下す場面などで有効である。
【００５４】
また、リスト部４０５に表示されている（ログデータ内に記憶されている）表示パラメータセットを所定のフォーマットの電子ファイル（例えば、ＣＳＶ（Comma-Separated Values）ファイルなど）に出力する機能を実装できる。この場合、表示出力部１３０は、Ｓａｖｅ  Ｈｉｓｔｏｒｙボタン（第６画面要素、図４中符号４０６）を画面上に更に表示させる。パラメータ取得部１１０は、ＳａｖｅＨｉｓｔｏｒｙボタンの押下に応じて、リスト部４０５に表示されている（ログデータ内に記憶されている）表示パラメータセットを取得する。また、後述の評価機能や顧客情報入力機能により、表示パラメータセットに対して評価情報、コメント情報、および顧客情報が紐付けられている場合、パラメータ取得部１１０はこれらの情報を併せて取得して、電子ファイルに出力してもよい。
【００５５】
コメント情報や顧客情報を併せて出力することによって、電子ファイルに出力した表示パラメータセットに対応する表示データに対する評価や留意事項などが確認可能となる。また、顧客情報により出力したファイルに対応する顧客を確認することができるため、出力したファイルの管理が容易になる。
【００５６】
＜評価機能＞
図２０は評価機能における処理の流れを例示するフローチャートである。評価機能では、表示領域に表示されている表示データに対する評価やコメントを付けることができる。評価機能に係る処理を実行可能にするために、表示出力部１３０は、Ｓｔａｒボタン（第７画面要素、図４中の符号４０７）およびコメント入力欄（第８画面要素、図４中の符号４０８）を画面上に更に表示させる。
【００５７】
まず、画面上のＳｔａｒボタンの数字を選択することによって、表示領域Ａに表示されている表示データに対して紐付ける評価情報が画面上に設定される（Ｓ３０２）。また、コメント欄に対するテキスト入力（例えば、「納期１ヶ月」など）を基に、表示領域Ａに表示されている表示データに対して紐付けるコメント情報が画面上に設定される（Ｓ３０４）。その後、ＳａｖｅＬｏｇボタンが押下されると、パラメータ取得部１１０は、Ｓ３０２で設定された評価情報と、Ｓ３０４で設定したコメント情報を、ＳａｖｅＬｏｇ機能でログデータに出力する表示パラメータセットに紐付ける（Ｓ３０６）。
【００５８】
この機能により、顧客による評価や様々な留意事項を表示データ毎に残すことが可能となる。
【００５９】
＜顧客情報入力機能＞
図２１は顧客情報入力機能における処理の流れを例示するフローチャートである。顧客情報入力機能に係る処理を実行可能にするために、表示出力部１３０は、Ｓｅｔｔｉｎｇボタン（第９画面要素、図４中の符号４０９）を画面上に更に表示させる。顧客情報入力機能に係る処理は、当該Ｓｅｔｔｉｎｇボタンの押下といった操作に応じて実行される。
【００６０】
Ｓｅｔｔｉｎｇボタンの押下に応じて、表示出力部１３０は、図２２に示されるような、顧客情報の入力を受け付けるための画面要素を含む画面をディスプレイ上に表示する（Ｓ４０２）。表示出力部１３０は、当該画面上で入力された顧客情報を、例えば、情報処理装置１０のメモリ１０３などに保持する（Ｓ４０４）。
【００６１】
パラメータ取得部１１０は、メモリ１０３などに保持された顧客情報を読み出して、表示パラメータセットに紐付けることができる。また、ここで入力された顧客情報は、情報処理装置１０で動作するアプリケーションにより生成されるデータ（例えば、後述の印刷・ＰＤＦ出力機能で出力される印刷用データや電子ファイル、発注機能で出力される発注データなど）に紐付けることもできる。
【００６２】
この機能によれば、情報処理装置１０上で動作するアプリケーションによって生成される様々なデータに顧客情報を含めることができ、データの管理が容易になる。
【００６３】
＜発注機能＞
図２３は発注機能における処理の流れを例示するフローチャートである。発注機能は、画面上で選択された表示パラメータを外部装置（例えば、製品工場の製造装置や当該製造装置に接続される端末など）に送信する機能である。発注機能に係る処理を実行可能にするために、表示出力部１３０は、Ｏｒｄｅｒボタン（第１０画面要素、図示せず）を画面上に更に表示させる。発注機能に係る処理は、当該Ｏｒｄｅｒボタンの押下といった操作に応じて実行される。
【００６４】
まず、画面上で発注対象の表示パラメータセットが選択される（Ｓ５０２）。例えば、画面上の「Ｐａｔｔｅｒｎ１」〜「Ｐａｔｔｅｒｎ５」、又は、リスト部４０５に保持されている表示パラメータセットのいずれかが選択される。この状態で、Ｏｒｄｅｒボタンが押下されると、パラメータ取得部１１０は、選択された表示パラメータセットを取得する（Ｓ５０４）。なお、表示パラメータセットにコメント情報や顧客情報が紐付けられている場合、パラメータ取得部１１０は、これらの情報を併せて取得してもよい。
【００６５】
そして、パラメータ取得部１１０は、Ｓ５０４で取得した表示パラメータセットの送信先を示す情報（例えば製品を製造する工場に配置される製造装置や当該製造装置に接続される端末のアドレス）を取得する（Ｓ５０６）。例えば製品を製造する工場に配置される製造装置や当該製造装置に接続される端末のアドレスは、メモリ１０３やストレージデバイス１０４に予め記憶されていてもよいし、別途入力フォームを介して入力されてもよい。パラメータ取得部１１０は、Ｓ５０６で取得した送信先を示す情報に基づいて、Ｓ５０４で取得した表示パラメータセットを送信する（Ｓ５０８）。このとき、パラメータ取得部１１０は、コメント情報や顧客情報が更に取得されていた場合には、これらの情報を併せて送信する。
【００６６】
この機能により、画面で見て気に入った製品を製造現場に発注することができる。また、コメント情報や顧客情報を含む情報を送信することによって、納期などの留意事項や顧客の情報を製造現場に通知することができる。
【００６７】
＜印刷・ＰＤＦ出力機能＞
図２４は印刷・ＰＤＦ出力機能における処理の流れを例示するフローチャートである。印刷・ＰＤＦ出力機能は、表示領域に表示されている表示データを印刷用データ或いは所定のフォーマットの電子ファイルとして出力する機能である。印刷・ＰＤＦ出力機能に係る処理を実行可能にするために、表示出力部１３０は、Ｑｕｉｃｋ  Ｐｒｉｎｔボタン（第１１画面要素、図４の符号４１０）を画面上に更に表示させる。印刷・ＰＤＦ出力機能に係る処理は、当該Ｑｕｉｃｋ  Ｐｒｉｎｔボタンの押下といった操作に応じて実行される。
【００６８】
表示データ取得部１２０は、Ｑｕｉｃｋ  Ｐｒｉｎｔボタンの押下に応じて、表示領域４０１Ａおよび表示領域４０１Ｂに表示されている表示データを取得する（Ｓ６０２）。表示データ取得部１２０は、例えば、メモリ１０３上に読み込まれている各表示データを取得することができる。表示データ取得部１２０は、表示中の画面をキャプチャし、各表示データを含む画像データを生成してもよい。次に、表示データ取得部１２０は、取得した表示データを印刷用データとして出力するか電子ファイルとして出力するかを指定する入力を受け付ける（Ｓ６０４）。当該入力は、情報処理装置１０に接続された入力装置（キーボード、マウス、タッチパネルなど）をユーザーが操作することにより行われる。
【００６９】
印刷用データとして出力することを指定する入力を受け付けた場合（Ｓ６０４：印刷用データ）、表示データ取得部１２０は、Ｓ６０２で取得したデータを印刷用フォーマットに変換して、所定の或いは指定されたプリンターに出力する（Ｓ６０６）。また、電子ファイルとして出力することを指定する入力を受け付けた場合（Ｓ６０４：電子ファイル）、表示データ取得部１２０は、Ｓ６０２で取得したデータを所定のファイルフォーマット（例えば、ＰＤＦ（Portable Document Format）など）に変換して、所定のストレージデバイス（情報処理装置１０に内蔵されるＨＤＤや、情報処理装置１０に接続されたＵＳＢメモリなど）に出力する（Ｓ６０８）。
【００７０】
この機能により、画面上で確認した中で顧客が気に入った表示データを、印刷物あるいは印刷用の電子ファイルとしてその場で顧客に渡すことができる。
【００７１】
＜表示サイズ変更機能＞
図２５は、表示サイズ変更機能における処理の流れを例示するフローチャートである。
【００７２】
表示出力部１３０は、表示領域４０１Ａに表示されている表示データの表示サイズの変更操作を受け付ける（Ｓ７０２）。表示サイズの変更指示入力には、表示サイズを拡大する入力操作、表示サイズを縮小する入力操作、および、表示サイズをリセットする入力操作がある。表示サイズを拡大する入力操作の具体例として、画面中の表示サイズ拡大ボタン（図４の例では＋ボタン４１１）を押下する操作や、タッチパネルに対するピンチアウト操作などが挙げられる。表示サイズを縮小する入力操作の具体例として、画面中の表示サイズ縮小ボタン（図４の例では−ボタン４１２）を押下する操作や、タッチパネルに対するピンチイン操作などが挙げられる。表示サイズをリセットする入力操作の具体例として、画面中の表示サイズリセットボタン（図４の例ではＦｉｔボタン４１３）を押下する操作や、タッチパネルに対するダブルタップ操作などが挙げられる。
【００７３】
表示サイズを拡大する入力操作が実行された場合（Ｓ７０２：拡大操作）、表示出力部１３０は、表示データの拡大倍率を取得する（Ｓ７０４）。表示サイズ拡大ボタン（図４の例では＋ボタン４１１）が押下された場合、表示出力部１３０は、例えば「現在の表示倍率＋１０％」といった拡大倍率を取得することができる。また、タッチパネルに対してピンチアウト操作が実行された場合、表示出力部１３０は、例えば、２本の指の初期位置を基準として当該２本の指の操作量に応じた拡大倍率を取得することができる。
【００７４】
表示サイズを縮小する入力操作が実行された場合（Ｓ７０２：縮小操作）、表示出力部１３０は、表示データの縮小倍率を取得する（Ｓ７０６）。表示サイズ縮小ボタン（図４の例では−ボタン４１２）が押下された場合、表示出力部１３０は、例えば「現在の表示倍率−１０％」といった縮小倍率を取得することができる。また、タッチパネルに対してピンチイン操作が実行された場合、表示出力部１３０は、例えば、２本の指の初期位置を基準として当該２本の指の操作量に応じた縮小倍率を取得することができる。
【００７５】
表示サイズをリセットする入力操作が実行された場合（Ｓ７０２：リセット操作）、表示出力部１３０は、表示データのデフォルト倍率を取得する（Ｓ７０８）。デフォルト倍率（デフォルトサイズ）は、表示領域のサイズを基準（１００％）として設定され、情報処理装置１０のメモリ１０３やストレージデバイス１０４などの記憶領域に予め記憶される。表示サイズリセットボタン（図４の例ではＦｉｔボタン４１３）が押下された場合、または、タッチパネルに対してダブルタップ操作が実行された場合、表示出力部１３０は、メモリ１０３やストレージデバイス１０４などの記憶領域に記憶されているデフォルト倍率を読み出す。
【００７６】
そして表示出力部１３０は、Ｓ７０４〜Ｓ７０８の処理のいずれかを実行することによって取得した表示倍率を用いて、表示データの表示サイズを更新する（Ｓ７１０）。
【００７７】
ここで、表示出力部１３０は、表示領域４０１Ａと連動させて、表示領域４０１Ｂの表示データの表示サイズを表示領域４０１Ａの表示データと同様に変更してもよい。ある１つの表示領域（ここでは、表示領域４０１Ａ）における表示データの表示サイズの変更に連動して他の表示領域（ここでは、表示領域４０１Ｂ）の表示データの表示サイズを変更することにより、各表示領域における表示データの表示状態が常に一致することになる。これにより、複数の表示データ間の比較を円滑に行うことができる。またこれに限らず、表示出力部１３０は、表示領域４０１Ａと表示領域４０１Ｂとをそれぞれ独立に扱い、表示領域４０１Ａの表示データの表示サイズのみを変更してもよい。
【００７８】
＜視点変更機能＞
図２６は、視点変更機能における処理の流れを例示するフローチャートである。
【００７９】
表示出力部１３０は、表示領域４０１Ａの表示データの視点の変更操作を受け付ける（Ｓ８０２）。視点の変更操作の具体例としては、表示データの向きのパラメータを変更する操作（例えば、Ｓｉｔｕａｔｉｏｎで選択しているパラメータを変更する操作や図示しない視点回転用ボタンの押下操作など）、または、タッチパネルに対するフリック操作やスワイプ操作などが挙げられる。後者の場合、表示出力部１３０は、フリック操作またはスワイプ操作における指の移動方向を特定し、表示データの向きのパラメータを当該特定した方向に変更させることができる。また、表示データが３次元的に表現されるイメージデータである場合、表示出力部１３０は、例えばフリック操作やスワイプ操作における指の移動方向および移動量を基に、イメージデータの回転方向および回転量をそれぞれ算出することもできる。
【００８０】
表示出力部１３０は、Ｓ８０２の操作に応じて、表示データの表示を更新する（Ｓ８０４）。具体的には、表示出力部１３０は、Ｓ８０２の操作によって表示データの向きのパラメータが変更された、新たな表示パラメータセットを表示データ取得部１２０に通知する。表示データ取得部１２０は、当該新たな表示パラメータセットを基に表示データ格納データベースを検索し、対応する表示データを読み出す。表示出力部１３０は、表示データ取得部１２０が読み出した新たな表示データを受け取り、表示領域４０１Ａに表示させる。また、表示データが３次元的に表現されるイメージデータである場合、表示出力部１３０は、例えば上述のように算出したイメージデータの回転方向および回転量に基づいて、表示データの向きを変更させることもできる。
【００８１】
ここで、表示出力部１３０は、表示領域４０１Ａと連動させて、表示領域４０１Ｂの表示データの視点を表示領域４０１Ａの表示データと同様に変更してもよい。ある１つの表示領域（ここでは、表示領域４０１Ａ）における表示データの視点の変更に連動して他の表示領域（ここでは、表示領域４０１Ｂ）の表示データの視点を変更することにより、各表示領域における表示データの表示状態が常に一致することになる。これにより、複数の表示データ間の比較を円滑に行うことができる。またこれに限らず、表示出力部１３０は、表示領域４０１Ａと表示領域４０１Ｂとをそれぞれ独立に扱い、表示領域４０１Ａの表示データの視点のみを変更してもよい。
【００８２】
＜データベース更新機能＞
図２７はデータベース更新機能における処理の流れを例示するシーケンス図である。データベース更新機能は、情報処理装置１０に内蔵される記憶部（例えば、ストレージデバイス１０４など）に記憶されている、表示データ格納用のデータベースを更新する機能である。データベース更新機能に係る処理を実行可能にするために、表示出力部１３０は、Ｕｐｄａｔｅボタン（第１２画面要素、図示せず）を画面上に更に表示させる。データベース更新機能に係る処理は、当該Ｕｐｄａｔｅボタンの押下といった操作に応じて実行される。この機能は、例えば、情報処理装置１０が営業担当者用の端末などの場合に利用される。
【００８３】
表示データ取得部１２０は、Ｕｐｄａｔｅボタンの押下に応じて、サーバ装置に最新版の表示データを要求する（Ｓ９０２）。サーバ装置は、シミュレーション装置により生成された表示データの最新版を保持している。
【００８４】
サーバ装置は、Ｓ９０２の要求に応じて、ストレージに記憶されている、最新版の表示データを読み出し（Ｓ９０４）、情報処理装置１０へ送信する（Ｓ９０６）。サーバ装置は、ストレージに記憶されている最新版の表示データの全てを読み出して情報処理装置１０に送信してもよいし、前回の情報処理装置１０のデータ要求日時を示す情報を保持しておき、その日時と最新版の表示データの記憶日時と比較し、必要な表示データ（記憶日時がデータ要求日時よりも新しい表示データ）のみを読み出して情報処理装置１０に送信してもよい。表示データ取得部１２０は、サーバ装置から送信された最新版の表示データを、自身の記憶部に記憶する（Ｓ９０８）。
【００８５】
この機能により、営業に用いる端末（情報処理装置１０）に記憶される表示データを最新の状態に保つことができる。
【００８６】
＜カラープロファイル調整機能＞
図２８はカラープロファイル調整機能における処理の流れを例示するフローチャートである。カラープロファイル調整機能は、ディスプレイのカラープロファイルを調整する機能である。カラープロファイル調整機能に係る処理を実行可能にするために、表示出力部１３０は、カラープロファイル調整ボタン（第１３画面要素、図示せず）を画面上に更に表示させる。カラープロファイル調整機能に係る処理は、当該カラープロファイル調整ボタンの押下といった操作に応じて実行される。
【００８７】
表示出力部１３０は、図示しないカラープロファイル調整ボタンの押下に応じて、ディスプレイのカラープロファイルを調整する。具体的には、表示出力部１３０は、例えばメモリ１０３などに予め記憶されている、既定のカラープロファイル及びγ値を読み出す（Ｓ１００２）。そして、表示出力部１３０は、ディスプレイで使用されているカラープロファイル及びγ値を、Ｓ１００２で読み出した既定のカラープロファイル及びγ値に変更する（Ｓ１００４）。
【００８８】
この機能により、ディスプレイ毎に異なり得るカラープロファイルやγ値を既定値に補正して、表示データを共通の条件下で表示させることができるようになる。従って、デバイス環境によって表示データの見え方が異なるといった問題の抑制が図れる。
【００８９】
＜類似色選択機能＞
図２９は類似色選択機能における処理の流れを例示するフローチャートである。類似色選択機能は、指定された色と類似する色の製品（表層材）のパラメータを読み出して画面上に設定する機能である。
【００９０】
表示出力部１３０は、例えば図３０に示すような、製品の色情報の指定入力を受け付けるためのカラーパレットなど（第１４画面要素）をディスプレイ上に表示し、パラメータ取得部１１０は、当該カラーパレットで指定された色の色情報（例えば、ＲＧＢ値やＣＭＹＫ値など）を取得する（Ｓ１１０２）。
【００９１】
パラメータ取得部１１０は、Ｓ１１０２で取得した色情報と類似する製品の色を、図３１に示すようなテーブルを参照して特定する（Ｓ１１０４）。図３１は、製品の色のバリエーションと共に、各色の色情報（カラーパラメータ）を記憶するテーブルの一例を示す図である。図３１に例示されるテーブルは、各色のカラーＩＤと紐付けて色情報（例えば、ＲＧＢ値やＣＭＹＫ値など）を記憶している。パラメータ取得部１１０は、Ｓ１１０２で取得した色情報と、図３１に例示するようなテーブルに記憶されている色情報とを比較する。そして、パラメータ取得部１１０は、比較の結果に基づいて、色差が基準以下の製品の色、具体的には、色差が最も小さい製品の色を特定し、その色の色情報（第２パラメータの１つ）を取得する。ここでパラメータ取得部１１０が取得した色情報は、画面上のＣｏｌｏｒのパラメータとして設定される。なお、Ｓ１１０２で取得された色情報との色差が最も小さくなる色がテーブル内に複数存在する場合、表示出力部１３０は、各色の製品のサンプル画像の一覧を含む画面などをディスプレイに表示する。そして、パラメータ取得部１１０は、表示された画面において選択された色の色情報を取得する。そして、表示データ取得部１２０は、新たに設定されたＣｏｌｏｒのパラメータを含む表示パラメータセットを用いて、表示領域に表示させる表示データを更新することができる（Ｓ１１０６）。
【００９２】
この機能により、製品の色ラインナップが多くても、所望の色の製品を簡易に選択することが可能となる。
【００９３】
以上、図面を参照して本発明の実施形態について述べたが、これらは本発明の例示であり、上記以外の様々な構成を採用することもできる。
【符号の説明】
【００９４】
１０  情報処理装置
１０１  バス
１０２  プロセッサ
１０３  メモリ
１０４  ストレージデバイス
１０５  入出力インタフェース
１０６  ネットワークインタフェース
１１０  パラメータ取得部
１２０  表示データ取得部
１３０  表示出力部
【図１】
2018092276.tif 000003
【図２】
2018092276.tif 000004
【図３】
2018092276.tif 000005
【図４】
2018092276.tif 000006
【図５】
2018092276.tif 000007
【図６】
2018092276.tif 000008
【図７】
2018092276.tif 000009
【図８】
2018092276.tif 000010
【図９】
2018092276.tif 000011
【図１０】
2018092276.tif 000012
【図１１】
2018092276.tif 000013
【図１２】
2018092276.tif 000014
【図１３】
2018092276.tif 000015
【図１４】
2018092276.tif 000016
【図１５】
2018092276.tif 000017
【図１６】
2018092276.tif 000018
【図１７】
2018092276.tif 000019
【図１８】
2018092276.tif 000020
【図１９】
2018092276.tif 000021
【図２０】
2018092276.tif 000022
【図２１】
2018092276.tif 000023
【図２２】
2018092276.tif 000024
【図２３】
2018092276.tif 000025
【図２４】
2018092276.tif 000026
【図２５】
2018092276.tif 000027
【図２６】
2018092276.tif 000028
【図２７】
2018092276.tif 000029
【図２８】
2018092276.tif 000030
【図２９】
2018092276.tif 000031
【図３０】
2018092276.tif 000032
【図３１】
2018092276.tif 000033